【事件の表示】
　特許第３２８７４０７号「つかいすておむつ」の請求項１ないし３に係る特許に対する特許異議の申立てについて、次のとおり決定する。
【結　論】
　訂正を認める。
　特許第３２８７４０７号の請求項１ないし２に係る特許を維持する。
【理　由】
＜1＞訂正の適否について
＜1-1＞　訂正の内容
　特許権者が求めている訂正は訂正明細書のとおり、すなわち、以下の訂正事項Ａ〜Ｃのとおりである。
＜訂正事項Ａ＞特許請求の範囲の記載　
「【請求項１】　液透過性の表面シート、液不透過性の裏面シート、これら両シートの間に位置する吸収体、及び該吸収体の長手方向の両側縁から幅方向外方へそれぞれ延出された一対のサイドフラップを具備するつかいすておむつにおいて、
　上記サイドフラップそれぞれの表面に、伸縮自在に形成され且つ自由端縁を有する襞部を上記吸収体に沿わせてそれぞれ一対設けてあり、一対の該襞部は、それぞれ、シート状の漏れ抵抗部材を上記つかいすておむつの長手方向に沿って固定して形成されており、一対の該襞部それぞれの一方は、それぞれの自由端縁が上記吸収体の幅方向内方に向かうように設けられ、他方は、それぞれの自由端縁が上記吸収体の幅方向外方に向かうように設けられており、
　一対の上記襞部それぞれの上記一方の自由端縁が、上記吸収体の上面の上方まで延びており、
　一対の上記襞部それぞれを形成する上記漏れ抵抗部材が、おむつの使用時に、股下部においてそれぞれ立ち上がるように設けてあることを特徴とするつかいすておむつ。
【請求項２】　上記襞部は、何れも上記自由端縁に弾性部材を具備している、請求項１記載のつかいすておむつ。
【請求項３】　上記漏れ抵抗部材の長手方向前後部が上記表面シートに固着されており、該漏れ抵抗部材の固定部が上記吸収体の長手方向側縁から外方に３０ｍｍ以内にある請求項１又は２記載のつかいすておむつ。」
を、　
「【請求項１】　液透過性の表面シート、液不透過性の裏面シート、これら両シートの間に位置する吸収体、及び該吸収体の長手方向の両側縁から幅方向外方へそれぞれ延出された一対のサイドフラップを具備するつかいすておむつにおいて、
　上記サイドフラップそれぞれの表面に、伸縮自在に形成され且つ自由端縁を有する襞部を上記吸収体に沿わせてそれぞれ一対設けてあり、一対の該襞部は、それぞれ、シート状の漏れ抵抗部材を
固定部で
　
上記襞部は、何れも上記自由端縁に弾性部材を具備しており、該襞部それぞれの幅方向の長さが１０〜１００ｍｍであり、上記固定部の幅は３〜２０ｍｍであり、
　一対の上記襞部それぞれを形成する上記漏れ抵抗部材が、おむつの使用時に、股下部においてそれぞれ立ち上がるように設けてあ
り、該襞部は着用者の股下部にポケット構造を形成す
【請求項
２
１
に訂正する。
＜訂正事項Ｂ＞　
本件明細書の発明の詳細な説明の
「【０００８】【課題を解決するための手段】
　本発明者らは、従来のつかいすておむつ、特に股下部分の防漏機構について鋭意研究した結果、フラップに特定形態の漏れ抵抗部材を設けることによって上記目的を達成し得ることを知見した。
　本発明は、上記知見に基づいてなされたもので、液透過性の表面シート、液不透過性の裏面シート、これら両シートの間に位置する吸収体、及び該吸収体の長手方向の両側縁から幅方向外方へそれぞれ延出された一対のサイドフラップを具備するつかいすておむつにおいて、上記サイドフラップそれぞれの表面に、伸縮自在に形成され且つ自由端縁を有する襞部を上記吸収体に沿わせてそれぞれ一対設けてあり、一対の該襞部は、それぞれ、シート状の漏れ抵抗部材を上記つかいすておむつの長手方向に沿って固定して形成されており、一対の該襞部それぞれの一方は、それぞれの自由端縁が上記吸収体の幅方向内方に向かうように設けられ、他方は、それぞれの自由端縁が上記吸収体の幅方向外方に向かうように設けられており、一対の上記襞部それぞれの上記一方の自由端縁が、上記吸収体の上面の上方まで延びており、一対の上記襞部それぞれを形成する上記漏れ抵抗部材が、おむつの使用時に、股下部においてそれぞれ立ち上がるように設けてあることを特徴とするつかいすておむつを提供するものである。」を、
「【０００８】【課題を解決するための手段】
　本発明者らは、従来のつかいすておむつ、特に股下部分の防漏機構について鋭意研究した結果、フラップに特定形態の漏れ抵抗部材を設けることによって上記目的を達成し得ることを知見した。
　本発明は、上記知見に基づいてなされたもので、液透過性の表面シート、液不透過性の裏面シート、これら両シートの間に位置する吸収体、及び該吸収体の長手方向の両側縁から幅方向外方へそれぞれ延出された一対のサイドフラップを具備するつかいすておむつにおいて、上記サイドフラップそれぞれの表面に、伸縮自在に形成され且つ自由端縁を有する襞部を上記吸収体に沿わせてそれぞれ一対設けてあり、一対の該襞部は、それぞれ、シート状の漏れ抵抗部材を固定部で上記つかいすておむつの長手方向に沿って固定して形成されており、一対の該襞部それぞれの一方は、それぞれの自由端縁が上記吸収体の幅方向内方に向かうように設けられ、他方は、それぞれの自由端縁が上記吸収体の幅方向外方に向かうように設けられており、上記襞部は、何れも上記自由端縁に弾性部材を具備しており、該襞部それぞれの幅方向の長さが１０〜１００ｍｍであり、上記固定部の幅は３〜２０ｍｍであり、一対の上記襞部それぞれの上記一万の自由端縁が、上記吸収体の上面の上方まで延びており、一対の上記襞部それぞれを形成する上記漏れ抵抗部材が、おむつの使用時に、股下部においてそれぞれ立ち上がるように設けてあり、該襞部は着用者の股下部にポケット構造を形成することを特徴とするつかいすておむつを提供するものである。」
に、訂正する。
＜訂正事項Ｃ＞　
本件明細書の発明の詳細な説明の
「【００１６】また、上記漏れ抵抗部材６の固定部９は、サイドフラップ５内であれば、どこに設置してもよいが、効果的なポケット構造の設定及び装着性の点から、上記吸収体４の長手方向側縁から外方に５０ｍｍ以内にあることが好ましく、３０ｍｍ以内にあることがより好ましい。また、上記固定部９の幅は３〜２０ｍｍに形成されていることが好ましい。上記襞部６Ａ、６Ａは、それぞれの幅方向の長さが１０〜１００ｍｍが好ましく、より好ましくは内側の襞部６Ａが３５ｍｍ程度、外側の襞部６Ａが１５ｍｍ程度である。」を、
「【００１６】また、上記漏れ抵抗部材６の固定部９は、サイドフラップ５内であれば、どこに設置してもよいが、効果的なポケット構造の設定及び装着性の点から、上記吸収体４の長手方向側縁から外方に５０ｍｍ以内にあることが好ましく、３０ｍｍ以内にあることがより好ましい。また、上記固定部９の幅は３〜２０ｍｍに形成されている。上記襞部６Ａ、６Ａは、それぞれの幅方向の長さが１０〜１００ｍｍであり、好ましくは内側の襞部６Ａが３５ｍｍ程度、外側の襞部６Ａが１５ｍｍ程度である。」
に、訂正する。
　
＜1-2＞訂正の目的の適否、新規事項の有無及び拡張・変更の有無　
　請求項１についての訂正事項Ａは、
（イ）「・・・長手方向に沿って固定して」形成されているのを、「
固定部で
（ロ）襞部について、「
上記襞部は、何れも上記自由端縁に弾性部材を具備して
（ハ）襞部について、「
襞部それぞれの幅方向の長さが１０〜１００ｍｍであり、上記固定部の幅は３〜２０ｍｍであ
（ニ）「漏れ抵抗部材が、おむつの使用時に、下部においてそれぞれ立ち上がるように設けてある」点について、「
襞部が着用者の股下部にポケット構造を形成す
　上記のとおりであるから、上記訂正事項Ａは、特許明細書又は図面に記載した事項の範囲内において訂正することを求めるものであるから、特許請求の範囲の減縮を目的とするものであり、その他の訂正事項ＢおよびＣは、上記特許請求の範囲の訂正に伴う明瞭でない記載の釈明を目的とするものであり、いずれも、新規事項の追加に該当せず、実質上特許請求の範囲を拡張し、変更するものではない。
　したがって、上記訂正事項Ａ及びＢ、Ｃは、特許法第120条の4第3項において準用する平成6年改正法による改正前の特許法第126条第1項ただし書き、第2項及び第3項の規定に該当するので、当該訂正を認める。　　
　
＜2＞特許異議の申立てについての判断
＜2-1＞　本件発明
　上記のとおり、訂正は認められるから、本件特許の請求項1及び2に係る発明は、訂正された特許明細書の請求項1及び2に記載されたとおりのもの（以下、「本件発明１」及び「本件発明2」という）である。
　
＜2-2＞取消理由通知で引用された刊行物に記載された発明　
　＜引用例＞　刊行物1：特開昭63-21901号公報 　
　　　　　　　刊行物2：特開昭62-250201号公報（異議申立人提出の甲第2号証）　
＜刊行物１＞特開昭６３ー２１９０１号公報
　刊行物1には、使い捨ておむつに関して、次の事項が図面（第１〜4図）とともに記載されている。　
ａ：
「所要厚さを有する吸収性コアと、該コアの少なくとも上面を覆う透水性トップシートと、該コアの少なくとも下面を覆う不透水性バックシート と、該コアの対向側の下縁から外側へ延出する不透水性サイドフラップと、 該フラップの縦方向に伸縮ギャザーを作る第１の防漏堤と、該コアの対向側の上縁にあってその縦方向に伸縮ギャザーを作る第２の防漏堤とを含み、前 記コアの対向側は不透水性シートで覆われ、前記第１の防漏堤は前記サイドフラップの一部とその縦方向に伸縮する第１のエラスチックバンドとが協同して該フラップの上面に突出することによって形成され、前記第２の防漏堤は前記コアの対向側を覆う前記不透水性シートの一部とその縦方向に伸縮する第２のエラスチックバンドとが協同して該コアの対向側の上縁から上方に突出することによって形成されていることを特徴とする使い捨ておむつ。」（特許請求の範囲（７）項）　
ｂ： 
「第２番目の本発明の主たる目的は、第１番目の本発明の前記目的に加え、吸収性コアの対向側の上縁にも前記サイドフラップ部分と同様の堤防機能を付与することにより、《中略》排泄物の漏れをさらに有効に防止することができる使い捨ておむつを提供することにある。」（３頁右上欄９行〜１４行）　
ｃ：
「防漏堤5は、サイドフラップ4の一部を形成するシート6の一部が逆 Ｕ状またはΩ状に突出し、突出部7の内にその縦方向に伸縮するエラスチッ クバンド8が一体に接着して介在し、サイドフラップ4の上面に突出することによって形成されている。サイドフラップ4の上面からの防漏堤5の高さＨ１は３〜３０mm、好ましくは５〜２０mmである。エラスチックバンド８は、ゴムまたはポリウレタンフオームのテープが幅方向に逆Ｕ字状に折り曲げられ、突出部７の上半部内に位置している。」（４頁左上欄９行〜１８行）　
ｄ：
「こうしたいずれの材質、形態や位置においても、防漏堤5はサイドフラップ4の上面に突出した状態を保つが、これは、突出部7の剛性（腰）と、エラスチックバンド8の或る程度の伸長または収縮（バンド8が突出部7に接着されているので完全に収縮復元しない）による緊張力と、その収縮に伴い防漏堤5が上方へ弓状に湾曲する性向とによる。ただし、防漏堤5は、その長さ方向両端部が外側へ伏倒してあることが好ましいが、これは、そのようにしてあると、その両端部間の部分に外側への傾倒性向が付与され、おむつの着用時に内側への伏倒性向が未然に防止されるからである。」（４頁右上欄3行〜１５行）　
ｅ：
「第２番目の本発明　　第１図、第３図および第４図に示すように、おむつは、前述した第１番目の本発明の構成に加え、第２の防漏堤12を含 む。防漏堤12は、サイドフラップ4の一部を形成するシート6の一部が逆Ｕ状またはΩ状に突出し、突出部13の内にその縦方向に伸縮する第２のエラスチックバンド14が一体に接着して介在し、コア1の対向側の上縁から突出することによって形成されている。突出部13はその内側がコア1の対向側に位置するトップシート2に接合し、その接合は少なくとも上端近傍においてなされていることが必要である。コア1の対向側の上縁に位置するトップシート2の上面からの防漏堤12の高さＨ２は３〜２０mm、好ましくは５〜１５mmである。第４図に示す防漏堤12は、その上端近傍において内側へ屈曲してコア1の対向側上面に位置しているが、この場合には、少なくとも該上面に位置するトップシート2の上面に接合してあることが好ましい。防漏堤12のその他の点およびその他の構成部材については、前述した第１番目の本発明と全く同じである。」（５頁右上欄７行〜左下欄８行）　
ｆ：
「なお、第１図に示すように、防漏堤5,12は、おむつの対向端近くまで延設されているが、少なくとも股下区域に設けられておればよい。」　
 （５頁左下欄９行〜１１行）　
　ｇ：
「（3）発明の効果　ａ）第1番目の本発明　　本発明によれば・・・・・防漏堤は、着用者の体圧で一般に外側へ傾倒ないし伏倒するが、該防漏堤内に位置するエラスチックバンドの作用によって起立性向を有するので、肌から離れて肌との間に隙間を生ぜしめることもきわめて少ない。　
ｂ）第2番目の発明　　本発明によれば、前記防漏堤と同様な機能を有する第2の防漏堤がコアの対向側の上縁に位置しているので、排泄液がコアの上面で溢れて対向側の上縁へ流動しても、該防漏堤で塞き止められる。また、かりに該防漏堤を越えてその外側に位置するサイドフラップに流出しても、・・・サイドフラップに位置する前述の防漏堤で塞ぎ止められる。」（第5頁左下欄第12行〜右下欄第20行）　
ｈ：
　第2〜4図には、内外側の防漏堤12、5は突出部13、7を介してエラスチックバンド14、8を具備している自由端縁が位置している点が、描かれている。
　また、第1〜4図において、外側の防漏堤5は、襞部の長手方向に沿った固定部が、上記吸収体の長手方向側縁から一定距離離れて外方にあることが分かる。
　
 ＜刊行物２＞特開昭６２-２５０２０１号公報
　刊行物２には、一体型使い捨て吸収性物品の１つであるオシメに関して、次の事項が図面（第１〜７図）とともに記載されている。　
ｉ：
第３図及び第７図には、オシメのバリヤ　カフス62，762の自由端縁が吸収性コア44の幅方向内方に向かうように設けられている様子が、第3図及び第７図には、バリヤ　カフス62、762の自由端縁にスペーサ弾性部材77を具備している様子が、第4図には着用される前の弾性的に収縮された状態のオシメ20において、ギャザ寄せされたバリヤカフス62が立ち上がって、その自由端縁がやや内方に傾斜している様子が、各々、記載されている。　
　また、第1図及び第3図を見ると、股下部を含む脚周りの大半においてバリヤカフス62の接着部92が、吸収性コア44の長手方向側縁に沿い、かつ一定の距離を置いて外方に設けられていることが分かる。
ｊ：
「この実施態様においてはバリヤカフス62は、前記のフラップ弾性部材60と吸収性コア44の縁46との間においてトップシート38に要素を固着する事によって形成される。バリヤカフス要素をトップシート38に対して接着剤92によって固着する事によって、バリヤカフスの近位縁64が形成される。バリヤカフスの一端をそれ自体の上に折り返して形成されたトンネルの中に、スペーサ弾性部材77が密閉される。スペーサ弾性部材77はバリヤカフスの中に弾性取り付け手段94によって固着される。バリヤ　カフスの遠位縁66がスペーサ弾性部材77の弾性収縮作用によってトップシート38の上面40から離間され、少なくとも近位縁64と、遠位縁66と、バリヤ　カフス62の内側面68とによってチャンネル96が形成される。」（４頁右下欄８行〜５頁左上欄３行）　
ｋ：
「第４図は、着用者に着用される前の弾性的に収縮された状態のオシメ20の斜視図である。・・・オシメ20は、・・・延在する2本のバリヤカフス62を有することが見られる。遠位縁66は股区域26においてスペーサ弾性部材（図示されず）によってギャザよせされ収縮されてオシメ20に沿って縦方向のチャンネル96を成している。さらにバリヤカフス62の両端72と74はそれぞれ前後の閉鎖区域80と82において閉鎖されて、着用者の着心地を良くし、バリヤカフス62の反転を防止し、またオシメ20の着用を容易にしている。」（第11頁右上欄第11行〜左下欄第7行）　
　
＜3＞当審の判断　
＜3-1＞本件発明１について　
　本件発明1と刊行物1及び2記載の発明とを対比すると、後者には、そのいずれにも本件発明の『「一対の襞部は、それぞれ、シート状の漏れ抵抗部材を
固定部で
固定部の幅は３〜２０ｍｍ
　本件発明1は、前記構成Ａを有することにより、
十分な幅を持った各襞部が狭い間隔で離間して固定されているので、各襞部が傾倒されている方向へ倒れ易く、両襞が開くことによって面を作り易い（特許異議意見書　第19頁第4〜7行）という顕著な効果を奏するものである。
　したがって、本件発明１は、刊行物1及び2に記載された発明に基いて当業者が容易に発明をすることができたものといえず、本件発明1の特許は、特許法第29条第2項の規定に違反してなされたものではない。
＜3-2＞本件発明2について
　本件発明2は、上記検討した本件発明1を引用するものであるから、同様に、刊行物1及び2に記載された発明に基いて当業者が容易に発明をすることができたものといえず、本件発明2の特許は、特許法第29条第2項の規定に違反してなされたものではない。　
　
＜3-3＞異議申立人提出の他の証拠について
　取消理由で引用した上記刊行物以外に、異議申立人は甲第1号証（特開昭64-68503号公報）、甲第3号証（特開平1-183501号公報）、及び、甲第4号証（特開昭63-112702号公報）を提出しているが、これらの証拠によっても本件発明1及び2の特許を取り消すことはできない。
＜4＞むすび
 　以上のとおりであるから、特許異議申立の理由及び証拠によっては、本件訂正後の請求項1及び2に係る発明の特許を取り消すことはできない。　
　また、他に本件訂正後の請求項1及び2に係る発明の特許を取り消すべき理由を発見しない。　
　よって、結論のとおり決定する。
【異議決定日】
平成１５年６月２４日（２００３．６．２４）
【訂正の要旨】
（１）特許請求の範囲の請求項１を下記の通り訂正する。
「　【請求項１】　液透過性の表面シート、液不透過性の裏面シート、これら両シートの間に位置する吸収体、及び該吸収体の長手方向の両側縁から幅方向外方へそれぞれ延出された一対のサイドフラップを具備するつかいすておむつにおいて、
　上記サイドフラップそれぞれの表面に、伸縮自在に形成され且つ自由端縁を有する襞部を上記吸収体に沿わせてそれぞれ一対設けてあり、一対の該襞部は、それぞれ、シート状の漏れ抵抗部材を
固定部で
　
上記襞部は、何れも上記自由端縁に弾性部材を具備しており、該襞部それぞれの幅方向の長さが１０〜１００ｍｍであり、
　
上記固定部の幅は３〜２０ｍｍであり、
　一対の上記襞部それぞれの上記一方の自由端縁が、上記吸収体の上面の上方まで延びており、
　一対の上記襞部それぞれを形成する上記漏れ抵抗部材が、おむつの使用時に、股下部においてそれぞれ立ち上がるように設けてあ
り、該襞部は着用者の股下部にポケット構造を形成す
（２）特許請求の範囲の訂正前の請求項２を削除し、訂正前の請求項３を訂正後の請求項２に訂正する（内容に変更なし）。
「　【請求項
２
１記
（３）明細書の段落〔０００８〕において、「シート状の漏れ抵抗部材を」と「上記つかいすておむつの長手方向に沿って」の間に「
固定部で
上記襞部は、何れも上記自由端縁に弾性部材を具備しており、該襞部それぞれの幅方向の長さが１０〜１００ｍｍであり、上記固定部の幅は３〜２０ｍｍであり、
り、該襞部は着用者の股下部にポケット構造を形成す
（４）明細書の段落〔００１６〕における「また、上記固定部９の幅は３〜２０ｍｍに形成されていることが好ましい。上記襞部６Ａ、６Ａは、それぞれの幅方向の長さが１０〜１００ｍｍが好ましく、より好ましくは内側の襞部６Ａが３５ｍｍ程度、外側の襞部６Ａが１５ｍｍ程度である。」を、「また、上記固定部９の幅は３〜２０ｍｍに形成されてい
る。
であり、
（５４）【発明の名称】
つかいすておむつ
（５７）【特許請求の範囲】
　【請求項１】　液透過性の表面シート、液不透過性の裏面シート、これら両シートの間に位置する吸収体、及び該吸収体の長手方向の両側縁から幅方向外方へそれぞれ延出された一対のサイドフラップを具備するつかいすておむつにおいて、
　上記サイドフラップそれぞれの表面に、伸縮自在に形成され且つ自由端縁を有する襞部を上記吸収体に沿わせてそれぞれ一対設けてあり、一対の該襞部は、それぞれ、シート状の漏れ抵抗部材を
固定部で
　
上記襞部は、何れも上記自由端縁に弾性部材を具備しており、該襞部それぞれの幅方向の長さが１０〜１００ｍｍであり、
　
上記固定部の幅は３〜２０ｍｍであり、
　一対の上記襞部それぞれの上記一方の自由端縁が、上記吸収体の上面の上方まで延びており、
　一対の上記襞部それぞれを形成する上記漏れ抵抗部材が、おむつの使用時に、股下部においてそれぞれ立ち上がるように設けてあ
り、該襞部は着用者の股下部にポケット構造を形成す
　【請求項
２
１記
【発明の詳細な説明】
　【０００１】
　【発明の属する技術分野】
　本発明は、フィット性を高めた漏れ防止構造を有するつかいすておむつに関する。
　【０００２】
　つかいすておむつの股部に関する防漏機構としては、従来から種々提案されている。例えば、特公昭５２−４０２６７号公報、特開昭５４−１１５９３９号公報、特開昭５２−１２００４５号公報、及び特開昭５７−８９６０２号公報には、つかいすておむつの側縁部に沿って、弾性部材を用いて予めギャザーを設け、着用者の股下部分におむつを密着させ、漏れにくくしたつかいすておむつが開示されている。また、特開昭５９−１５７３０１号公報、特開昭６０−１９９９０３号公報及び実開昭６３−６０４０５号公報には、側縁部に伸長率の異なる弾性部材を複数本配置することにより、着用者の脚周り寸法に合い、且つ動きに追従できるつかいすておむつが開示されている。
　【０００３】
　また、特開昭６２−２５０２０１号公報、特開昭６３−１５９５０１号公報には、サイドフラップの長手方向に側壁部、あるいは起立する伸縮ギャザーを形成し、これらによって漏れ防止、フィット性向上させたつかいすておむつが開示されている。
　【０００４】
　【発明が解決しようとする課題】
　しかし、上記のような防漏機構において、特公昭５２−４０２６７号公報、特開昭５４−１１５９３９号公報、特開昭５２−１２００４５号公報及び特開昭５７−８９６０２号公報にそれぞれ記載された股下部分におけるサイドフラップにギャザーを設けたつかいすておむつは、前記サイドフラップに介在する弾性部材によってサイドフラップの剛性が高くなり、脚周りに対する追従性が低下する。その結果、意図したフィット性が得られず、着用者の股下部分とおむつとの間に隙間を形成する虞れがあり、漏れを充分に防止することができない。特に、着用者が活発な高月齢児である場合などには、着用時に吸収体がヨレたりおむつがずれ落ちたりすることが頻繁に起こる虞れがあり、漏れに至る危険性が更に高くなる。
　【０００５】
　更に、弾性部材を表面シートと裏面シートの間に介在させてギャザーを形成させたものは、その殆どが弾性部材または裏面シートもしくは表面シートに接着手段を施すと共におむつの長手方向の両端部には製造上、止むを得ず形成される非接合部分（剥離部）があり、着用時にこの剥離部において形成される隙間を介して腹側または背側からの漏れを引き起こす原因になっていた。
　【０００６】
　また、特開昭５９−１５７３０１号公報、特開昭６０−１９９９０３号公報及び実開昭６３−６０４０５号公報にそれぞれ記載されたサイドフラップにおいて起立したギャザーを１本づつ設けたおむつは、ギャザーを起立させるために弾性部材の伸長率を高く設定せざるを得ず、そのようにするとギャザー縁部が肌に線状に接するため、股下部分をギャザーで圧迫し、股下部分を赤くしたり、傷つけたりすることがあり、着用上必ずしも満足できるものではなく、また、側壁部を有するものについても同様のことが言える。
　【０００７】
　従って、本発明の目的は、股下部分に対して柔軟にフィットして隙間を生じさせることなく確実に漏れを防止することができると共に腰部における漏れを防止することができるつかいすておむつを提供することにある。
　【０００８】
　【課題を解決するための手段】
　本発明者らは、従来のつかいすておむつ、特に股下部分の防漏機構について鋭意研究した結果、フラップに特定形態の漏れ抵抗部材を設けることによって上記目的を達成し得ることを知見した。
　本発明は、上記知見に基づいてなされたもので、液透過性の表面シート、液不透過性の裏面シート、これら両シートの間に位置する吸収体、及び該吸収体の長手方向の両側縁から幅方向外方へそれぞれ延出された一対のサイドフラップを具備するつかいすておむつにおいて、上記サイドフラップそれぞれの表面に、伸縮自在に形成され且つ自由端縁を有する襞部を上記吸収体に沿わせてそれぞれ一対設けてあり、一対の該襞部は、それぞれ、シート状の漏れ抵抗部材を
固定部で
上記襞部は、何れも上記自由端縁に弾性部材を具備しており、該襞部それぞれの幅方向の長さが１０〜１００ｍｍであり、上記固定部の幅は３〜２０ｍｍであり、
り、該襞部は着用者の股下部にポケット構造を形成す
　【０００９】
　【発明の実施の形態】
　以下、図１〜図６に示す実施例に基づいて本発明を説明する。尚、各図中、図１は本発明のつかいすておむつの一実施例の表面の一部を破断して示す平面図、図２は図１に示すつかいすておむつが表面側に湾曲した状態を示す斜視図、図３は図２のＩＩＩ−ＩＩＩ線断面図、図４は図２のＩＶ−ＩＶ線断面図、図５、図６はそれぞれ本発明のつかいすておむつの他の実施例を示す図３相当図である。尚、図３及び図４においては、図１に示す実施例のつかいすておむつ１の図１における左側部分について説明するが、実施例のつかいすておむつ１は、その右側部分は左側部分と対称的（同様）に形成されている。図５及び図６に示す実施例に関しても、同様に左側部分について説明する。
　【００１０】
　本実施例のつかいすておむつ１は、図１に示す如く、着用者の肌に接触する側を形成する液透過性の表面シート２と、該表面シート２に対応する液不透過性の裏面シート３と、該裏面シート３と上記表面シート２との間に位置して排泄物を吸収する吸収体４と、該吸収体４の長手方向の両側縁から幅方向外方へ延出された一対のサイドフラップ５、５とを具備し、該サイドフラップ５、５は上記表面シート２及び裏面シート３とが重合して一体に形成されている。尚、本実施例では、上記サイドフラップ５、５の外側縁の略中央に股下部分の形状に沿った凹欠部５Ａ、５Ａが形成されている。
　【００１１】
　また、上記サイドフラップ５の表面上には、伸縮自在に形成された一対の襞部６Ａ、６Ａを形成する漏れ抵抗部材６が上記吸収体４の長手方向の側縁に沿って設けられ、しかも該漏れ抵抗部材６は上記サイドフラップ５から上記吸収体４の内側に渡って被うように形成されている。上記襞部６Ａは、少なくとも糸状の弾性部材７を１本内包し、長手方向に伸縮自在に構成されている。即ち、本つかいすておむつ１は、図１に示す如く展開した状態で、上記弾性部材７が張設された状態にあって本つかいすておむつ１を常に長手方向内で内側へ引っ張っており、本つかいすておむつ１の使用時には、図２に示す如く、本つかいすておむつ１が表面側に湾曲すると共に、図３に示す如く、上記漏れ抵抗部材６の襞部６Ａ、６Ａが立ち上がり、該漏れ抵抗部材６の幅方向内方の襞部６Ａの自由端縁が吸収体４の上面の上方まで延びて、該襞部６Ａで股下部にポケット構造を形成するように構成されている。このように、本実施例のつかいすておむつ１は、上記サイドフラップ５の表面に、伸縮自在に形成され且つ自由端縁を有する襞部６Ａを吸収体４に沿わせて一対設けてあり、一対の襞部６Ａ、６Ａは、それぞれ、シート状の漏れ抵抗部材６をつかいすておむつ１の長手方向に沿って固定して形成されており、一対の襞部６Ａ、６Ａの一方は、その自由端縁が吸収体４の幅方向内方に向かうように設けられ、一方の襞部６Ａで股下部にポケット構造を形成するようになされており、他方の襞部６Ａは、その自由端縁が吸収体４の幅方向外方に向かうように設けられている。
　【００１２】
　尚、本つかいすておむつ１の背側のサイドフラップ５、５にはテープファスナー８、８が取り付けられている。
　【００１３】
　本発明のつかいすておむつによれば、着用時にサイドフラップの伸縮自在な襞部が、高月齢児の活発な動作に対して追随する吸収体のヨレに影響されることなく、着用者の股下部分に柔軟にフィットして、股下部分の内部にポケット構造を形成し、このポケット構造を維持した状態で着用者にフィットして排泄物をポケット構造内に封止してその漏れを防止することができる。
　また、本発明のつかいすておむつによれば、襞部が何れも複数の弾性部材を具備していることから、着用時に着用者の股下部分に柔軟にフィットして、股下部分を赤くしたり傷つけたりすることがない。
　【００１４】
　次に、上記漏れ抵抗部材６を図３、図４に基づいて更に詳述する。
　前記吸収体４は、裏面シート３上に固定され、該吸収体４の全体が前記表面シート２によって被覆接着され、上記表面シート２に対して該吸収体４の長手方向の側縁に沿わせた上記漏れ抵抗部材６が一定の幅で固定部９を長手方向に形成すると共に該漏れ抵抗部材６の長手方向の両側縁で、それぞれ自由端縁を形成するように接着されている。そして、上記弾性部材７、７は、上記自由端縁をそれぞれ上記表面シート２側へ折り曲げて形成された折曲部にそれぞれ内包され上記一対の襞部６Ａ、６Ａを構成している。該一対の襞部６Ａ、６Ａの一方は、その自由端縁が吸収体４の幅方向内方に向かうように設けられ、吸収体４の上面の上方まで延びており、他方は、その自由端縁が吸収体４の幅方向外方に向かうように設けられている。尚、上記漏れ抵抗部材６は、上記表面シート２に対してホットメルト等の接着剤による接着、あるいは超音波による熱溶着等によって固定されるが、着用時の風合を良くするためには超音波の熱溶着による固定が好ましい。
　【００１５】
　また、上記弾性部材７は、図４に示す如く、上記漏れ抵抗部材６の長手方向の両端近傍までしか達しておらず、弾性部材７を内包しないこれら両端部近傍では上記漏れ抵抗部材６の長手方向の両側端縁が上述の如く折曲形成されて、その内側で複数の固定部９を形成するように上記表面シート２に固定されている。即ち、襞部６Ａ、６Ａは股下部分の領域を中心に形成されるようになっている。
　【００１６】
　また、上記漏れ抵抗部材６の固定部９は、サイドフラップ５内であれば、どこに設置してもよいが、効果的なポケット構造の設定及び装着性の点から、上記吸収体４の長手方向側縁から外方に５０ｍｍ以内にあることが好ましく、３０ｍｍ以内にあることがより好ましい。また、上記固定部９の幅は３〜２０ｍｍに形成されてい
る。
であり、
　【００１７】
　而して、上記表面シート２は、繊維不織布、多孔性プラスチックフィルム等によって、上記裏面シート３は、透湿性のプラスチックフィルム等によって、上記漏れ抵抗部材６は、上記表面シート２と同様に繊維不織布、多孔性プラスチックフィルム等によって、上記吸収体５は、解繊パルプを主材として吸収性ポリマーを併用したもの等によって、また、上記弾性部材７は、帯状または糸状のポリウレタンフィルムまたは天然ゴム等の伸縮自在な弾性部材によってそれぞれ形成されていることが好ましい。また、上記表面シート２は親水性の材料で形成されることが好ましく、上記漏れ抵抗部材６は撥水性の材料で形成されていることが好ましい。
　【００１８】
　本実施例のつかいすておむつ１は上記の如く構成されているため、これを着用する際、つかいすておむつ１は、襞部６Ａ、６Ａの弾性部材７、７によって表面シート２内で引張られて湾曲すると共に襞部６Ａ、６Ａが立ち上がって立体ギャザーを形成する（図２及び図３参照）。かかる状態でテープファスナー８、８によって腰部に止着して本つかいすておむつ１を着用すると、サイドフラップ５、５の凹欠部５Ａ、５Ａが股下部分を囲むと共に、襞部６Ａ、６Ａが股下部分に柔軟にフィットして股下部分でポケット構造を形成して内部を外部からシールする。この際、襞部６Ａ、６Ａが着用者の股下部分を柔軟に平面でもってシールするため、股下部分を赤くしたり傷つけたりすることがない。また、本つかいすておむつ１は、従来の如く弾性部材７を表面シート２と裏面シート３との間に介装したものでないため、サイドフラップ５、５を形成する表面シート２と裏面シート３とは密着して隙間がなく、腰部からの漏れを確実に防止することができる。
　【００１９】
　また、本つかいすておむつ１は、消費者に対しては、漏れやフィット性の基本的な性能を有する他、視覚的にも優れたものである。
　また、本つかいすておむつに１によれば、立体ギャザーを構成する襞部６Ａ、６Ａをつかいすておむつ１表面の所定位置に接着するだけで固定することができるため、これを生産する際には、工程的にも簡素であり、高速生産することができ、生産効率の向上を図ることができる。
　【００２０】
　また、図５は本発明の他の実施例を示すもので、本実施例のつかいすておむつ１は、同図に示す如く、襞部６Ａ、６Ａが糸状の弾性部材７を２本内包して所定幅の平面状部として形成されている以外は全て上記実施例と同様に構成されている。そして、上記襞部６Ａ、６Ａは、本つかいすておむつ１が湾曲した状態で立ち上がり、内側の襞部６Ａが吸収体４を被覆する表面シート２の上方に位置し且つ該吸収体４の長手方向の側縁より内側に位置するように構成されている。また、上記内側の襞部６Ａの弾性部材７、７のうち固定部９に近い側の弾性部材７の伸長率が遠い側の弾性部材の伸長率よりも大きく設定し、且つ上記外側の襞部６Ａの弾性部材７、７についても固定部９に近い側を遠い側よりも伸長率が大きく設定されて構成されている。
　【００２１】
　また、上記襞部６Ａの平面状部は５〜２０ｍｍに形成されていることが好ましく、より好ましくは１０ｍｍ程度である。尚、上記弾性部材７が１本の帯状のもので形成されている場合には、自由状態においてその幅が上記幅の平面状部を成す寸法に形成されておればよい。従って、本実施例のつかいすておむつ１によれば、襞部６Ａ、６Ａが平面状部で股下部分にフィットして排泄物の漏れをより確実に防止することができる。
　【００２２】
　また、図６は本発明の更に他の実施例を示すもので、本実施例のつかいすておむつ１は、同図に示す如く、図１〜図４に示す第１の実施例のつかいすておむつ１の漏れ抵抗部材６に更に別の漏れ抵抗部材６’が該漏れ抵抗部材６の表面上に固定部９’を形成するように接着されている以外は全て第１の実施例と同様に構成されている。そして、別の漏れ抵抗部材６’は、図６に示す如く、漏れ抵抗部材６よりも幅が狭く形成され、その弾性部材７’が他方の弾性部材７より伸長率が大きく設定されており、襞部６’Ａが、図６に示す如く、他方の襞部６Ａよりもより大きく立ち上がるように構成されている。従って、本実施例のつかいすておむつ１によれば、吸収体４の内側に向けて傾斜する２つの立体ギャザーが形成されて、これらが着用者の股下部分、鼠蹊部から大腿部にかけてより確実にフィットする。
　【００２３】
　【００２４】
　尚、上記各実施例のつかいすておむつ１においては、それぞれの吸収体４が長方形を呈するものについてのみ説明したが、これらの吸収体４は、それぞれのサイドフラップ５、５の凹欠部５Ａ、５Ａに従って湾曲形成されたものであれば、より一層フィット性を高めることができる。
　また、上記各実施例のつかいすておむつ１において、それぞれの吸収体４の長手方向の両端部をそれぞれの裏面シート３によって、あるいは別の防漏シートによって被覆し、更に腰部に弾性部材を設けることにより、腰部における漏れをより効果的に防止することができる。
　【００２５】
　【発明の効果】
　本発明のつかいすておむつは、股下部分に対して柔軟にフィットして隙間を生じさせることなく確実に漏れを防止することができると共に腰部における漏れを防止することができるものである。
　具体的には、本発明のつかいすておむつによれば、一対の襞部のうち内方に向かう伸縮自在な襞部の自由端縁が吸収体の上面の上方まで延びているため、該襞部と該吸収体の側縁との間に形成されるポケット構造は、該襞部が押し潰されても最小限の容積が維持される。また、一対の襞部は、おむつ使用時に股下部においてそれぞれ立ち上がるように設けてあり、外方に向かう伸縮自在な襞部は、内方に向かう前記襞部とは連動せずにおむつのサイドフラップの内側で股下部分をシールするため、内方に向かう前記襞部で防止し切れなかった漏れを防止することができ、更に、外方に向かう伸縮自在な襞部は、弾性部材を介在させたサイドフラップに比して剛性が低く、着用者の股下部分を柔軟に平面でもってシールできるため、股下部分を赤くしたり傷つけたりすることがなく、且つ充分な漏れ防止効果を奏し得るものであり、本発明のつかいすておむつにおいては、漏れ防止のための弾性部材をサイドフラップに介在させる必要はない。
【図面の簡単な説明】
　【図１】
　図１は本発明のつかいすておむつの一実施例の表面の一部を破断して示す平面図
　【図２】
　図２は図１に示すつかいすておむつが表面側に湾曲した状態を示す斜視図
　【図３】
　図３は図２のＩＩＩ−ＩＩＩ線断面図
　【図４】
　図４は図２のＩＶ−ＩＶ線断面図
　【図５】
　図５は本発明のつかいすておむつの他の実施例を示す図３相当図
　【図６】
　図６は本発明のつかいすておむつの他の実施例を示す図３相当図